(57)【要約】【課題】太い経糸と細経糸とを用いたウェビングの触感を良好なものとする。【解決手段】主経糸Ｍと緯糸Ｗとを組み合わせたベース１１と、該ベース１１に織り込まれた細経糸Ａ〜Ｃ，ａ〜ｃとを有するウェビング１０であって、ウェビング１０の表面において、該細経糸Ａ〜Ｃ又はａ〜ｃが前記主経糸を覆っていることを特徴とするウェビング１０。主経糸Ｍは奇数番目の緯糸１，３の上側を通り、偶数番目の緯糸２，４の下側を通るように蛇行している。細経糸Ａ，Ｂ，Ｃは、ウェビング１０の表側において、ベース１１の主経糸Ｍを覆い、細経糸ａ，ｂ，ｃはウェビングの裏側において、ベース１１の主経糸Ｍを覆う。【選択図】図１
2018008658.tif 000002
【特許請求の範囲】
【請求項１】
主経糸と緯糸とを組み合わせたベースと、
該ベースに織り込まれた、該主経糸より細い細経糸と
を有するウェビングであって、
ウェビングの表面において、該細経糸が前記主経糸を覆っていることを特徴とするウェビング。
【請求項２】
請求項１において、主経糸１条に対し、合計２条以上の割合で細経糸が織り込まれていることを特徴とするウェビング。
【請求項３】
請求項２において、前記主経糸が１０００〜３０００デニールであり、
前記細経糸が２５０〜１５００デニールであることを特徴とするウェビング。
【請求項４】
主経糸と緯糸とを組み合わせたベースと、
該ベースに織り込まれた、該主経糸より細い細経糸と
を有するウェビングであって、
該細経糸が前記主経糸同士の間に介在されており、該細経糸の最頂部の前記緯糸からの高さが前記主経糸の最頂部の前記緯糸からの高さと略同一であることを特徴とするウェビング。
【請求項５】
請求項４において、前記細経糸として、第１の細経糸と第２の細経糸とが設けられており、
該第２の細経糸と前記ベースとの間に該第１の細経糸が介在しており、
該第２の細経糸の最頂部の前記緯糸からの高さが前記主経糸の最頂部の前記緯糸からの高さと略同一であることを特徴とするウェビング。
【請求項６】
請求項５において、
前記主経糸が１０００〜３０００デニールであり、第１の細経糸及び第２の細経糸が２５０〜１５００デニールであり、
主経糸同士の間に１条以上の第２の細経糸が介在していることを特徴とするウェビング。
【発明の詳細な説明】
【技術分野】
【０００１】
本発明は、自動車等のシートベルト装置に用いられるウェビングに関する。
【背景技術】
【０００２】
自動車用シートベルト装置は、リトラクタから巻き出されたウェビングによって乗員を拘束するよう構成されている。
【０００３】
ウェビングの平滑性や耐摩耗性を向上させるために、ポリエーテルポリエステル化合物及びシリコーン系化合物等の処理剤を用いることが知られている（例えば特許文献１）。
【０００４】
特許文献２には、経糸と緯糸とを交差させて織り込んだシートベルト用ウェビングとして、太い経糸と細経糸とを用いてウェビングに厚肉部分と薄肉部分とを設けることにより、処理剤を用いることなく、リトラクタへの巻き取り性を向上させることが記載されている。
【先行技術文献】
【特許文献】
【０００５】
【特許文献１】特開２００９−７６９５号公報
【特許文献２】特開平９−３０９４０５号公報
【発明の概要】
【発明が解決しようとする課題】
【０００６】
本発明は、太い経糸と細経糸とを用いたウェビングの触感を滑らかなものとすることを目的とする。
【課題を解決するための手段】
【０００７】
第１発明のウェビングは、主経糸と緯糸とを組み合わせたベースと、該ベースに織り込まれた、該主経糸より細い細経糸とを有するウェビングであって、ウェビングの表面において、該細経糸が前記主経糸を覆っていることを特徴とするものである。
【０００８】
第１発明の一態様では、主経糸が１０００〜３０００デニールであり、細経糸が２５０〜１５００デニールであり、主経糸１条に対し、合計２条以上の割合で細経糸が織り込まれている。
【０００９】
第２発明のウェビングは、主経糸と緯糸とを組み合わせたベースと、該ベースに織り込まれた、該主経糸より細い細経糸とを有するウェビングであって、該細経糸が前記主経糸同士の間に介在されており、該細経糸の最頂部の前記緯糸からの高さが前記主経糸の最頂部の前記緯糸からの高さと略同一であることを特徴とするものである。
【００１０】
第２発明の一態様では、前記細経糸として、第１の細経糸と第２の細経糸とが設けられており、該第２の細経糸と前記ベースとの間に該第１の細経糸が介在しており、該第２の細経糸の最頂部の前記緯糸からの高さが前記主経糸の最頂部の前記緯糸からの高さと略同一である。
【００１１】
第２発明の一態様では、前記主経糸が１０００〜３０００デニールであり、第１の細経糸及び第２の細経糸が２５０〜１５００デニールであり、主経糸同士の間に１条以上の第２の細経糸が介在している。
【発明の効果】
【００１２】
第１発明のウェビングでは、太い主経糸を細経糸で覆っているため、触感が滑らかなものとなる。また、太い主経糸を用いているので、ウェビングの強度が高い。また、第１発明のウェビングでは、太い主経糸が細経糸により覆われているため、太い主経糸が外的要因（光、ダスト等）によるダメージから守られる。
【００１３】
第２発明のウェビングでは、太い主経糸同士の間に細経糸を配置し、ウェビング外面において太い経糸と細経糸とを略面一状としているので、触感が滑らかなものとなる。また、太い主経糸を用いているので、ウェビングの強度が高い。
【図面の簡単な説明】
【００１４】
【図１】第１発明の実施の形態に係るウェビングの斜視図である。
【図２】（ａ）は図１のウェビングのベースの経糸方向の断面図である。（ｂ），（ｃ），（ｄ）及び（ｅ）は、それぞれ、緯糸と細経糸との係合関係を示す断面図である。
【図３】図１のウェビングのベースの平面図である。
【図４】図２のｉ−ｉ線〜iv−iv線に沿う切断部の拡大端面図である。
【図５】第２発明の実施の形態に係るウェビングの斜視図である。
【図６】図５の右下付近を拡大した平面図である。
【図７】図６のVIIa及びVIIb矢視図である。
【図８】図５のウェビングのベースの平面図である。
【図９】図８のIX−IX線断面図である。
【発明を実施するための形態】
【００１５】
以下、図面を参照して実施の形態について説明する。
【００１６】
［第１発明の実施の形態］
図１〜４は第１発明の実施の形態に係るウェビング１０を示している。図１はこのウェビング１０の一部の拡大斜視図であるが、図１の右辺側では、経糸を緯糸方向に間隔をあけて示しており、図１の最下辺側では主経糸の図示を省略している。図２（ａ）は主経糸Ｍと緯糸Ｗとの係合関係を示す経糸方向に沿う断面図であり、図３のIIa−IIa線断面図である。図２（ｂ）〜（ｅ）は細経糸Ａ〜Ｃ及びａ〜ｃと緯糸との係合関係を示す経糸方向に沿う断面図である。図３は、主経糸Ｍと緯糸Ｗとからなるベース１１の平面図であり、図４（１）〜（４）は図２（ｂ）〜（ｅ）においてｉ−ｉ線、ii−ii線、iii−iii線及びiv−iv線に沿う切断部の端面図である。
【００１７】
このウェビング１０は、ベース１１と、該ベース１１に織り込まれた多数本の細経糸Ａ〜Ｃ，ａ〜ｃとを有する。ウェビング１０は主経糸Ｍ及び細経糸Ａ〜Ｃ，ａ〜ｃの延在方向に長いベルト状である。
【００１８】
ベース１１は、平行な多数本の太い主経糸Ｍと、平行な多数本の細い緯糸Ｗとを組み合わせたものである。経糸と緯糸とは直交方向に延在している。緯糸Ｗには符号１〜４を付してあるが、これは配列の順番を示すためのものであり、各緯糸Ｗは同一の糸からなる。多数本の緯糸Ｗが、ウェビング１０の長手方向に１，２，３，４，１，２，３，４………の順に配列されている。
【００１９】
隣接する緯糸Ｗ同士の間の間隔は同一であり、隣接する主経糸Ｍ同士の間の間隔も同一である。
【００２０】
主経糸Ｍは１０００〜３０００デニール特に１０００〜１５００デニール程度が好適である。細い緯糸Ｗは２５０〜１５００デニール特に５００〜７５０デニール程度が好適である。細経糸Ａ〜Ｃ，ａ〜ｃは２５０〜１５００デニール特に２５０〜５００デニール程度が好適である。
【００２１】
この実施の形態のベース１１にあっては、図２（ａ）及び図３の通り、細い緯糸Ｗは同一面上に平行に配置されている。主経糸Ｍは奇数番目の緯糸１，３の上側を通り、偶数番目の緯糸２，４の下側を通るように蛇行している。なお、主経糸Ｍの蛇行の仕方は、緯糸１，２の上側を通り、緯糸３，４の下側を通る場合や、緯糸１，２の上側を通り、緯糸３の下側を通り、再び緯糸４と次の緯糸１の上を通る場合もある。
【００２２】
細経糸Ａ，Ｂ，Ｃは、ウェビングの表側において、ベース１１の主経糸Ｍを覆い、細経糸ａ，ｂ，ｃはウェビングの裏側において、ベース１１の主経糸Ｍを覆っている。
【００２３】
細経糸Ａ，Ｂ，Ｃは、図１，４の右側から左側に向って（即ちウェビングの一側辺から他側辺に向って）、この順番で繰り返しＡ，Ｂ，Ｃ，Ａ，Ｂ，Ｃ，Ａ，Ｂ，Ｃ………の通り配列されている。細経糸Ａ，Ｂ，Ｃがこの順番で繰り返す領域は部分的であってもよい。
【００２４】
細経糸ａ，ｂ，ｃも図１，４の右側から左側に向って、この順番で繰り返しａ，ｂ，ｃ，ａ，ｂ，ｃ，ａ，ｂ，ｃ………の通り配列されている。
【００２５】
ウェビング表側の主経糸Ｍを覆う細経糸Ａ，Ｂ，Ｃのうち、経糸Ａ，Ｃは、図２（ｂ）の通り、２番目の緯糸２の下側を該緯糸２に接するように通り、その他の１，３，４番目の緯糸１，３，４の上側を通っている。図面を明瞭とするために、図２（ｂ）では図示を省略するが、緯糸３，４，１と細経糸Ａ，Ｃとの間には、図４（１），（３），（４）の通り主経糸Ｍが介在している。
【００２６】
ウェビング表側の主経糸Ｍを覆う細経糸Ａ，Ｂ，Ｃのうち、経糸Ｂは、図２（ｃ）の通り、４番目の緯糸４の下側を該緯糸４に接するように通り、その他の１，２，３番目の緯糸１，２，３の上側を通っている。図２（ｃ）では図示を省略するが、緯糸１〜３と細経糸Ｂとの間には、図４（１）〜（３）の通り主経糸Ｍが介在している。なお、前記〇番目という表現は説明の便宜上のものであり、これに限定されず、繰り返さずに不等な間隔で織られていてもよい。
【００２７】
ウェビング裏側の主経糸Ｍを覆う細経糸ａ，ｂ，ｃのうち、経糸ａ，ｃは、図２（ｄ）の通り、３番目の緯糸３の上側を該緯糸３に接するように通り、その他の１，２，４番目の緯糸１，２，４の下側を通っている。図２（ｃ）では図示を省略するが、緯糸４，１，２と細経糸ａ，ｃとの間には、図４（１），（２），（４）の通り主経糸Ｍが介在している。
【００２８】
ウェビング裏側の主経糸Ｍを覆う細経糸ａ，ｂ，ｃのうち、経糸ｂは、図２（ｅ）の通り、１番目の緯糸１の上側を該緯糸１に接するように通り、その他の２，３，４番目の緯糸２，３，４の下側を通っている。図２（ｅ）では図示を省略するが、緯糸２〜４と細経糸ｂとの間には、図４（２）〜（４）の通り主経糸Ｍが介在している。
【００２９】
図４（１）〜（４）は、それぞれウェビング１０の緯糸１，２，３，４に沿う断面を示している。上記のように、緯糸Ｗ（１〜４）と主経糸Ｍとを組み合わせたベース１１に細経糸Ａ〜Ｃ，ａ〜ｃを織り込むことにより、ベース１１の緯糸Ｗと主経糸Ｍとが一体化される。細経糸Ａ〜Ｃはウェビング１０の表側においてウェビング表（おもて）面の大部分を覆うため、ウェビング１０の表側の面の触感が滑らかなものとなる。例えば、細経糸Ａ〜Ｃは、ウェビング１０の表側において、主経糸Ｍの最頂部ｔ（緯糸Ｗから最も離隔した部分）を除くウェビング表（おもて）面の大部分を覆う。
【００３０】
細経糸ａ〜ｃは、ウェビング１０の裏側において、ウェビング裏面の大部分を覆うため、ウェビング１０の裏側の面の触感が滑らかなものとなる。例えば、細経糸ａ〜ｃは、ウェビング１０の裏側において、主経糸Ｍの最頂部ｔを除くウェビング裏面の大部分を覆う。また、このウェビング１０は、太い主経糸Ｍを有するので、強度が高い。なお、細経糸Ａ〜Ｃ，ａ〜ｃに耐光剤を含ませたり、コーティングしてもよい。
【００３１】
上記実施の形態では、細経糸Ａ〜Ｃ，ａ〜ｃはそれぞれ主経糸Ｍ間に３条ずつ配置されているが、これに限定されるものではない。
【００３２】
［第２発明の実施の形態］
図５〜９は、第２発明の実施の形態に係るウェビング２０を示している。図５は、このウェビング２０の一部拡大斜視図であるが、図５の右辺側では経糸を緯糸方向に間隔をあけて示しており、図５の上辺側及び下辺側では緯糸の図示を省略している。図６は図５の右下部分の拡大平面図である。図７（ａ），（ｂ）は図６のVIIa，VIIb矢視図である。図８はベース２１の平面図であり、図９は図８のIX−IX線断面図である。
【００３３】
このウェビング２０は、主経糸Ｍ１〜Ｍ４と緯糸Ｗ（１〜４）とからなるベース２１と、それぞれ該ベース２１に織り込まれた第１の細経糸ｅ〜ｈ及び第２の細経糸Ｅ〜Ｈとを有する。なお、図５〜９では主経糸Ｍに１〜４の添字が付されているが、これは主経糸Ｍの配列順番を示すためのものであり、主経糸Ｍ１〜Ｍ４は同種のものである。
【００３４】
図８，９の通り、この実施の形態で用いられるベース２１は、主経糸Ｍ（Ｍ１〜Ｍ４）と緯糸Ｗとを畝織り（畔織り）したものである。即ち、図８，９の通り、主経糸Ｍ１は緯糸１，２の上側を緯糸１，２に接するように通り、緯糸３，４の下側を緯糸３，４に接するように通る。主経糸Ｍ４は緯糸２，３の上側を緯糸２，３と接するように通り、緯糸４，１の下側を緯糸４，１に接するように通る。主経糸Ｍ３は緯糸３，４の上側を緯糸３，４と接するように通り、緯糸１，２の下側を緯糸１，２と接するように通る。主経糸Ｍ２は緯糸４，１の上側を緯糸４，１に接するように通り、緯糸２，３の下側を緯糸２，３に接するように通る。
【００３５】
なお、上述の畝織りの形態は、主経糸Ｍが緯糸２条間隔で緯糸Ｗの上下を通っているが、これに限定されるものでなく、例えば３条間隔で緯糸Ｗの上下を通っていてもよい。
【００３６】
この実施の形態では、第１の細経糸ｅ〜ｈと第２の細経糸Ｅ〜Ｈとが用いられている。第１及び第２の細経糸ｅ〜ｈ及びＥ〜Ｈは、それぞれ各主経糸Ｍ１，Ｍ２間、Ｍ２，Ｍ３間、Ｍ３，Ｍ４間及びＭ４，Ｍ１間に、ウェビング２０の一側辺（図５，６，図７（ｂ）の右側）から他側辺（図５，図６，図７（ｂ）の左側）に向かってこの順に配列されている。
【００３７】
第１の細経糸ｅ，ｇは奇数番目の緯糸１，３の上側を通り、偶数番目の緯糸２，４の下側を通る。第１の細経糸ｆ、ｈは奇数番目の緯糸１，３の下側を通り、偶数番目の緯糸２，４の上側を通る。第１の細経糸ｅ〜ｈはそれぞれ緯糸１〜４と交差する部分で緯糸１〜４に接している。
【００３８】
第１の細経糸ｅ〜ｈに重なるように第２の細経糸Ｅ〜Ｈがベース２１に織り込まれている。第２の細経糸Ｅは緯糸４，１の上側を通り、緯糸２，３の下側を通る。第２の細経糸Ｆは、緯糸１，２の上側を通り、緯糸３，４の下側を通る。第２の細経糸Ｇは、緯糸２，３の上側を通り、緯糸４，１の下側を通る。第２の細経糸Ｈは、緯糸３，４の上側を通り、緯糸１，２の下側を通る。
【００３９】
第２の細経糸Ｅ〜Ｈは、第１の細経糸ｅ〜ｈに重なって、かつ細経糸ｅ〜ｈよりもベース２１から離れた側を通っている。細経糸Ｅ〜Ｈは、その最頂部の位置（緯糸Ｗからの高さ）が主経糸Ｍ１〜Ｍ４の最頂部と略同一となるように織り込まれており、主経糸Ｍ１〜Ｍ４と第２の細経糸Ｅ〜Ｈとは面一状となっている。
【００４０】
具体的には、ウェビング２０の厚み方向の中心（緯糸Ｗの中心）から主経糸Ｍ１〜Ｍ４の最頂部までの距離（高さ）Ｘ１とし、ウェビング２０の厚み方向の中心（緯糸Ｗの中心）から細経糸Ｅ〜Ｈの最頂部までの距離（高さ）Ｘ２とすると、距離Ｘ２は距離Ｘ１の８０〜１２０％特に９５〜１０５％が好適である。
【００４１】
これにより、ウェビング２０の表側及び裏側のいずれにおいても、ウェビング２０の表面（ひょうめん）は太い主経糸Ｍ１〜Ｍ４と、それら同士の間に配置された第２の細経糸Ｅ〜Ｈとで構成され、主経糸Ｍ１〜Ｍ４と、第２の細経糸Ｅ〜Ｈとが略面一状となっているので、ウェビング２０の表面の触感が滑らかなものとなる。また、主経糸Ｍ１〜Ｍ４を用いているので、ウェビング２０の強度が高い。なお、細経糸Ｅ〜Ｈに耐光剤を含ませたり、コーティングしてもよい。
【００４２】
なお、この実施の形態では、主経糸Ｍ１〜Ｍ４は１０００〜３０００デニール特に１０００〜１５００デニール程度が好適である。細経糸Ｅ〜Ｈ，ｅ〜ｈは同一デニールであり、かつ２５０〜１５００デニール特に２５０〜５００デニール程度が好適である。また、緯糸Ｗは２５０〜７５０デニール特に５００〜７５０デニール程度が好適である。
【００４３】
この実施の形態では、主経糸Ｍ１，Ｍ２，Ｍ３，Ｍ４間にそれぞれ細経糸ｅ〜ｈ，Ｅ〜Ｈが４条ずつ配置されているが、これに限定されず、各々１条以上ずつ特に３〜４条ずつ配置されればよい。
【００４４】
本発明のウェビングは、自動車のシートベルト装置のウェビングとして好適である。自動車のシートベルト装置は、ウェビングと、該ウェビングを巻き取るためのリトラクタと、ウェビングが挿通又は連結されたトングと、該トングが着脱されるバックル等を備えている。
【００４５】
ただし、本発明のウェビングは航空機用、船舶用、遊戯機器用など各種のシートベルト装置に用いることができる。
【符号の説明】
【００４６】
１０，２０  ウェビング
１１，２１  ベース
Ａ〜Ｈ  細経糸
ａ〜ｈ  細経糸
Ｍ  主経糸
Ｗ  緯糸
【図１】
2018008658.tif 000003
【図２】
2018008658.tif 000004
【図３】
2018008658.tif 000005
【図４】
2018008658.tif 000006
【図５】
2018008658.tif 000007
【図６】
2018008658.tif 000008
【図７】
2018008658.tif 000009
【図８】
2018008658.tif 000010
【図９】
2018008658.tif 000011
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
主経糸と緯糸とを組み合わせたベースと、
該ベースに織り込まれた、該主経糸より細い細経糸と
を有するウェビングであって、
ウェビングの表面において、該細経糸が前記主経糸を覆っていることを特徴とするウェビング。
【請求項２】
前記主経糸が１０００〜３０００デニールであり、
前記細経糸が２５０〜１５００デニールであることを特徴とする請求項１に記載のウェビング。
【請求項３】
主経糸と緯糸とを組み合わせたベースと、
該ベースに織り込まれた、該主経糸より細い細経糸と
を有するウェビングであって、
該細経糸が前記主経糸同士の間に介在されており、該細経糸の最頂部の前記緯糸からの高さが前記主経糸の最頂部の前記緯糸からの高さと略同一であることを特徴とするウェビング。
【請求項４】
前記細経糸として、第１の細経糸と第２の細経糸とが設けられており、
該第２の細経糸と前記ベースとの間に該第１の細経糸が介在しており、
該第２の細経糸の最頂部の前記緯糸からの高さが前記主経糸の最頂部の前記緯糸からの高さと略同一であることを特徴とする請求項３に記載のウェビング。
【請求項５】
前記主経糸が１０００〜３０００デニールであり、第１の細経糸及び第２の細経糸が２５０〜１５００デニールであり、
主経糸同士の間に１条以上の第２の細経糸が介在していることを特徴とする請求項４に記載のウェビング。